(57)【特許請求の範囲】
【請求項１】
隣接配置された屋根パネルの接合部分における防水構造であって、
一方の屋根パネル表面が、他方の屋根パネル表面に対して高い位置に設けられ、この他方の屋根パネル上に平板状の板材が、その縁部を前記一方の屋根パネルの端面に付き当てるようにかつ前記一方の屋根パネルの表面より低くして載置され、
前記他方の屋根パネル上に防水シートが前記板材および前記他方の屋根パネルの表面を覆い隠すようにして設けられ、
前記一方の屋根パネル上に設けられる防水シートが、前記他方の屋根パネル上に延出されその他方の屋根パネル上に設けられる防水シート上に前記板材上で重ね合わされて密着されていることを特徴とする屋根パネルの接合部分における防水構造。
【請求項２】
前記一方の屋根パネル表面と前記他方の屋根パネル表面との高低差は、前記一方の防水シートと前記他方の防水シートとを重ね合わせた厚みに対して大きく取られていることを特徴とする請求項１に記載の屋根パネルの接合部分における防水構造。
【請求項３】
前記一方の屋根パネルから、前記他方の屋根パネルにかけて下り傾斜が付けられていることを特徴とする請求項１又は２に記載の屋根パネルの接合部分における防水構造。
【請求項４】
前記隣接配置される各屋根パネルは、略水平に配置されて陸屋根を形成していることを特徴とする請求項１から３の何れかに記載の屋根パネルの接合部分における防水構造。
【請求項５】
隣接配置された屋根パネルの接合部分における防水方法であって、
一方の屋根パネル表面を他方の屋根パネル表面に対して高い位置に設けた後、この他方の屋根パネル上に平板状の板材を、その縁部が前記一方の屋根パネルの端面に付き当たるようにかつ前記一方の屋根パネルの表面より低くして載置し、
次に、前記他方の屋根パネル上に防水シートを前記板材および前記他方の屋根パネルの表面を覆い隠すようにして設け、
次に、前記一方の屋根パネル上に設けられる防水シートを、前記他方の屋根パネル上に延出させてその他方の屋根パネル上に設けられる防水シートに前記板材上で重ね合わせて密着させることを特徴とする屋根パネルの接合部分における防水方法。
【請求項６】
前記一方の屋根パネル表面と前記他方の屋根パネル表面との高低差を、前記一方の防水シートと他方の防水シートとを重ね合わせた厚みに対して大きく取ることを特徴とする請求項５に記載の屋根パネルの接合部分における防水方法。
【請求項７】
前記各屋根パネルを略水平に配置すると共に、前記一方の屋根パネルから前記他方の屋根パネルにかけて下り傾斜を付けることを特徴とする請求項５又は６に記載の屋根パネルの接合部分における防水方法。
【発明の詳細な説明】
【０００１】
【発明の属する技術分野】
本発明は、屋根パネルの接合部分における防水構造、及びその防水方法に関する。
【０００２】
【背景の技術】
建物の屋根として、現場作業を軽減すべく工場内にて生産した複数の屋根パネルを施工場所に搬入し、その施工場所にて屋根パネルを組み合わせて屋根を形成するパネル工法が知られている。この工法で使用される屋根パネル１０１は、鋼材等を組み合わせて形成した下地フレーム１０２上に配置されるコンクリート製の野地材１０３と、この野地板１０３上に貼り付けられ野地板１０３表面からの水の進入を阻止する防水シート１０４と、を備える。
【０００３】
また、施工時には、各屋根パネル１０１間に、立て込み寸法の誤差や施工寸法の誤差を吸収すべく隙間Ｃを形成して各屋根パネル１０１の配置がなされている。また、各屋根パネル１０１間の隙間Ｃ、即ち屋根パネル１０１の接合部分Ｘには、防水処理が施され、その隙間Ｃからの水の進入を防止している。
【０００４】
接合部分Ｘにおける防水処理としては、まず、各屋根パネル１０１間に形成された隙間Ｃを跨ぐように鉄板１０５を架け渡す。そして、一方の屋根パネル１０１上に設けられた防水シート１０４と他方の屋根パネル１０１上に設けられた防水シート１０４と、をその鉄板１０５上で互いに重ね合わせ、且つ密着させて接合部分Ｘからの水の進入を阻止している。
【０００５】
【発明が解決しようとする課題】
しかしながら、この従来工法を利用して形成される屋根では、上記の如くその接合部分Ｘにおいて防水シート１０４及び鉄板１０５が互いに重なり合うため、屋根表面に対して局所的に起伏を形成することになる。したがって、この起伏に起因して屋根全体の排水性が損なわれるといった問題が生じる。とりわけ、陸屋根などに代表される水平に展開された屋根を形成する場合には、この現象が顕著に見られ改善する必要があった。
【０００６】
よって本発明は、排水性を損なうことなく防水処理を施せる、屋根パネルの接合部分における防水構造を提供することを課題とする。また、排水性を損なうことなく防水処理を施せる、屋根パネルの接合部分における防水方法を提供することを課題とする。
【０００７】
【課題を解決するための手段】
本発明では、上記した技術的課題を解決するため、以下の構成とした。
すなわち、隣接配置された屋根パネルの接合部分における防水構造であって、一方の屋根パネル表面が、他方の屋根パネル表面に対して高い位置に設けられ、この他方の屋根パネル上に平板状の板材が、その縁部を前記一方の屋根パネルの端面に付き当てるようにかつ前記一方の屋根パネルの表面より低くして載置され、前記他方の屋根パネル上に防水シートが前記板材および前記他方の屋根パネルの表面を覆い隠すようにして設けられ、前記一方の屋根パネル上に設けられる防水シートが、前記他方の屋根パネル上に延出されその他方の屋根パネル上に設けられる防水シート上に前記板材上で重ね合わされて密着されていることを特徴とする。
【０００８】
このように構成された本発明では、防水処理に伴う接合部分の起伏が、一方の屋根パネルと他方の屋根パネルとの間に形成された高低差、即ち、段差によって許容される。このため接合部分での防水処理に伴う起伏を小さくできる。よって、接合部分における水の移動がスムースになり、極めて良好な排水性が得られる。
【０００９】
尚、前記一方の屋根パネル表面と前記他方の屋根パネル表面との高低差は、前記一方の防水シートと前記他方の防水シートとを重ね合わせた厚みに対して大きく取るとよい。さらに、一方の屋根パネルから、他方の屋根パネルにかけて下り傾斜を付けてもよい。この場合、一方の屋根パネルから他方の屋根パネルにかけて起伏のない表面形状が得られる。また、一方の屋根パネルから他方の屋根パネルに向かって排水方向が定められる。
【００１０】
また、接合部分において他方の防水シートが板材によって持ち上げられる。このため、他方の屋根パネル側から接合部分への水の回り込みを防止できる。尚、隣接配置される各屋根パネルは、略水平に配置されて陸屋根を形成してもよい。ここで略水平とは、若干の傾斜をも許容する概念である。但し、その傾斜は、屋根上を容易に歩行できる程度とする。
【００１１】
また、上記した技術的課題を解決するため、本発明では、以下の方法を採用してもよい。すなわち、隣接配置された屋根パネルの接合部分における防水方法であって、一方の屋根パネル表面を他方の屋根パネル表面に対して高い位置に設けた後、この他方の屋根パネル上に平板状の板材を、その縁部が前記一方の屋根パネルの端面に付き当たるようにかつ前記一方の屋根パネルの表面より低くして載置し、
次に、前記他方の屋根パネル上に防水シートを前記板材および前記他方の屋根パネルの表面を覆い隠すようにして設け、
次に、前記一方の屋根パネル上に設けられる防水シートを、前記他方の屋根パネル上に延出させてその他方の屋根パネル上に設けられる防水シートに前記板材上で重ね合わせて密着させることを特徴とする。
【００１２】
この方法では、防水処理に伴う接合部分の起伏が、一方の屋根パネルと他方の屋根パネルとの間に形成された高低差、即ち、段差によって許容される。このため接合部分での防水処理に伴う起伏を小さくできる。よって、接合部分における水の移動がスムースになり、極めて良好な排水性が得られる。なお、一方の屋根パネル表面を他方の屋根パネル表面に対して高い位置に設ける作業は、各防水シートを互いに重ね合わせた後に行ってもよい。
【００１３】
また、前記一方の屋根パネル表面と前記他方の屋根パネル表面との高低差は、前記一方の防水シートと他方の防水シートとを重ね合わせた厚みに対して大きく取るとよい。
【００１４】
さらに、前記各屋根パネルを略水平に配置すると共に、前記一方の屋根パネルから前記他方の屋根パネルにかけて下り傾斜を付けるとより好的である。尚、一方の屋根パネルから他方の屋根パネルにかけて下り傾斜は、屋根上を容易に歩行できる程度とする。
【００１６】
【発明の実施の形態】
以下、本発明の実施の形態を図面に基づき説明する。尚、本実施の形態では、屋根全体が略水平に展開された陸屋根に本発明を適用させた形態について説明する。
【００１７】
図１は、屋根全体の概略構成図である。この図１に示される屋根１は、現場作業の軽減を図るべく予め工場内にて生産した複数枚の屋根パネルＰを組み合わせて構成している。より詳しくは、施工時に、その屋根パネルＰを工場から搬入して、施工場所となる建物ユニット（図示略）上に隣接配置して屋根１を形成する。即ち、本実施の形態に示す陸屋根は、いわゆるパネル工法にて施工される屋根１である。
【００１８】
この屋根１を形成している各屋根パネルＰは、略矩形をなし屋根の主たる部分を形成するコンクリート製の野地板３と、この野地板３上に貼り付けられて野地板３表面からの水の進入を防止する防水シート４と、を備えている。また、各屋根パネルＰは、建物ユニット（図示略）の梁８上に所定間隔で組まれた下地フレーム２を利用して建築ユニット上に隣接配置されている。
【００１９】
また、梁８上に取り付けられる各屋根パネルＰは、立て込み寸法の誤差や施工寸法の誤差を吸収すべく隣接した他の屋根パネルＰとの間に、隙間Ｃを形成して配置されている。即ち、各屋根パネルＰの接合部分Ｘには隙間Ｃが形成されている。
【００２０】
このため本発明では、この接合部分Ｘからの水の進入を防止するために以下の防水処理を行っている。以下、本発明の主旨となる接合部分Ｘの防水構造、及び防水方法について、その施工手順を踏まえながら詳細に説明する。
【００２１】
まず、本実施の形態では、図２に示すように屋根中央Ｏを基点として、屋根中央Ｏから屋根端部Ｓにかけて、若干下り傾斜となるように各屋根パネルＰを配置する。またこのとき、屋根中央〇に、より近い位置に設けられた屋根パネルＰを他方の屋根パネルＰに対して高い位置に設けるようにする。即ち、一方の屋根パネル表面が、他方の屋根パネル表面に対して高い位置に設けられている。
【００２２】
尚、以下の説明ではその都合上、屋根中央Ｏに、より近い位置に設けられた屋根パネルＰを一方の屋根パネルＰ１と称し、屋根中央Ｏからより遠い位置に設けられた屋根パネルＰを他方の屋根パネルＰ２と称して説明を行う。
【００２３】
このように各屋根パネルＰが配置された屋根１では、屋根中央が最も高い位置となる。したがって、屋根１上の排水方向は、図２中矢印に示されるように屋根中央Ｏから屋根端部Ｓに向かって流れる排水方向となる。尚、本実施の形態では、陸屋根に本発明を適用しているため、屋根中央Ｏから屋根端部Ｓにかけての下り傾斜は、容易に歩行可能な程度の傾斜とされている。
【００２４】
続いて、接合部分Ｘの隙間Ｃを覆うように鉄板５を配置する。  鉄板５を配置するにあたっては、例えば、以下の手順にて行う。まず、他方の屋根パネルＰ２における野地板３上に鉄板５を載置する。続いて、その鉄板５の縁部を一方の屋根パネルＰ１の野地板側端面６に付き当て、接合部分Ｘにおける鉄板５の位置決めを行う。
【００２５】
尚、この鉄板５は、接合部分Ｘにおける各防水シート４の密着性を高めると共に、他方の屋根パネルＰ１から接合部分Ｘへの水の回り込みを防止するために設けている。より詳しくは、後の防水シート４の説明と共に詳述する。また、本実施の形態では、鉄板を使用したが、勿論、樹脂製の板などを使用してもよい。より好ましくは、耐火性の板材が適している。
【００２６】
そして、本実施の形態では、この鉄板５及び野地板３を覆い隠すように、防水シート４の設置を行う。尚、防水シート４は、各屋根パネルＰの製造時に、その野地板３よりも若干大きめに裁断されている。このため屋根１の施工時には、野地板３上からはみ出した防水シート４が屋根パネルＰの接合部分Ｘを覆うこととなる。
【００２７】
防水シート４を設置する際には、まず、他方の屋根パネルＰ２において鉄板５及び野地板３を共に覆い隠すように防水シート４をその表面上に貼り付ける。次いで、一方の屋根パネルＰ１上に設けられた防水シート４を他方の屋根パネルＰ２上に延出させ、該他方の屋根パネルＰ２上に設けられた防水シート４上に重ね合わせて貼り付ける。
【００２８】
即ち、図4に示されるように接合部分Ｘにおいては、鉄板５と、他方の屋根パネルＰ２に設けられる防水シート４と、一方の屋根パネルＰ１に設けられる防水シート４と、が互いに重なり合って隙間Ｃを覆うこととなる。よって、隙間Ｃからの水の進入が阻止される。
【００２９】
ここで一方の屋根パネルＰ１と他方の屋根パネルＰ２との位置関係について振り返ると、本発明では上記の如く、一方の屋根パネルＰ１を他方の屋根パネルＰ２に対して高い位置に設けている。即ち、一方の屋根パネルＰ１と他方の屋根パネルＰ２との間に、段差Ｔを形成している。
【００３０】
このため屋根１における排水性の妨げとなっていた、接合部分Ｘの防水処理に伴う起伏が、この段差Ｔによって許容されることとなり、一方の屋根パネルＰ１から他方の屋根パネルＰ２にかけて起伏の少ない表面形状が得られる。
【００３１】
このように防水処理が施された本実施の形態に示す陸屋根では、防水処理に伴う起伏が段差Ｔによって許容されるため、屋根中央Ｏから屋根端部Ｓに向かってスムースに水が排水される。よって、パネル工法にて施工された屋根においても優れた排水性を得ることができる。
【００３２】
なお、本実施の形態では、段差Ｔにおける高低差Ｈを、少なくとも一方の防水シート４と、他方の防水シート４とを重ね合わせた厚みに対して大きく取るようにしている。この理由としては、一方の屋根パネルＰ１から他方の屋根パネルＰ２にかけて起伏のない表面形状を得るためである。尚、本実施の形態では、一般的な防水シート４の厚みを考慮して、約４ｍｍ程度の高低差Ｈを設けるようにしている。
【００３３】
また、本実施の形態では、接合部分Ｘにおける他方の屋根パネルＰ２に設けられた防水シート４の下面側に鉄板５を配置し、その防水シート４を鉄板５の厚みによって若干持ち上げ水の回り込みを防止しているが、この鉄板５は必ずしも必要とされず、例えば、接合部分Ｘの隙間Ｃが比較的狭い場合などには、鉄板５を省略して防水処理を施してもよい。
【００３４】
また、本実施の形態では、略水平に展開された陸屋根に本発明を適用したが、本発明は、陸屋根のみならず、勿論、多の形状をなす屋根全般に広く応用できるものである。
【００３５】
【発明の効果】
以上のように本発明によれば、排水性を損なうことなく防水処理を施せる、屋根パネルの接合部分における防水構造を提供できる。また、排水性を損なうことなく防水処理を施せる、屋根パネルの接合部分における防水方法を提供できる。
【図面の簡単な説明】
【図１】本実施の形態に係る屋根の概略を示す概略構成図。
【図２】本実施の形態に係る屋根パネル間の勾配を示す図。
【図３】本実施の形態に係る屋根パネル接合部分における防水構造の概略を示す概略図。
【図４】本実施の形態に係る屋根パネル接合部分における防水構造の要部拡大断面図。
【図５】従来の屋根パネルにおける接合部分の防水構造を示す要部拡大断面図。
【符号の説明】
１  屋根
２  下地フレーム
３  野地板
４  防水シート
５  鉄板
６  野地板側端面
８  梁
１０１  屋根パネル
１０２  下地フレーム
１０３  野地板
１０４  防水シート
１０５  鉄板
Ｃ  隙間
Ｏ  屋根中央
Ｐ  屋根パネル
Ｐ１  一方の屋根パネル
Ｐ２  他方の屋根パネル
Ｓ  屋根端部
Ｔ  段差
Ｘ  接合部分
【図１】
0004614549.tif 000002
【図２】
0004614549.tif 000003
【図３】
0004614549.tif 000004
【図４】
0004614549.tif 000005
【図５】
0004614549.tif 000006